(57)【要約】【課題】ドライバの意図した車両旋回走行が為されるようにタックインを抑制する為の駆動力を適切に制御する。【解決手段】操舵角θＳＷに基づいて算出される目標ヨーレイトＲＹtと、ヨーレイトセンサ６８により検出された実ヨーレイトＲＹaとのヨーレイト偏差ΔＲＹに基づいて推定したドライバのタックインさせる意図が大きい程、そのタックインが発生し易いようにタックイン抑制制御におけるタックイン抑制トルクＴＹoffが抑制されるので、例えば車両旋回中におけるタックインの発生に際してドライバのタックインさせる意図をも考慮した形でタックインを抑制する為のタックイン抑制トルクＴＹoffを適切に制御することができる。つまり、ドライバの意図した車両旋回走行が為されるようにタックイン抑制トルクＴＹoffを適切に制御することができる。【選択図】図８
2011230712.tif 000002
【特許請求の範囲】
【請求項１】
車両旋回中におけるタックインの発生に際して該タックインを抑制するように駆動輪へ伝達される駆動力関連値を制御するタックイン抑制制御を実行する車両の制御装置であって、
操舵角に基づいてドライバのタックインさせる意図を推定し、
前記タックインさせる意図が大きい程、該タックインが発生し易いように前記タックイン抑制制御における駆動力関連値の制御量を抑制することを特徴とする車両の制御装置。
【請求項２】
アクセルオフ時の操舵角に基づいて前記ドライバのタックインさせる意図を推定することを特徴とする請求項１に記載の車両の制御装置。
【請求項３】
前記操舵角に基づいて算出される前記車両旋回挙動に関する目標値と、該車両旋回挙動に関する実測値との偏差が大きい程、前記ドライバのタックインさせる意図が大きいと推定することを特徴とする請求項１又は２に記載の車両の制御装置。
【請求項４】
前記車両旋回挙動に関する目標値は、前記操舵角に基づいて算出されるヨーレイトの目標値であり、
前記車両旋回挙動に関する実測値は、センサにより検出されるヨーレイトの実際値であることを特徴とする請求項３に記載の車両の制御装置。
【請求項５】
前記偏差と前記ドライバのタックインさせる意図に対応した係数との予め設定された関係から、該偏差に基づいて該係数を算出し、該算出した係数に基づいて前記タックイン抑制制御における駆動力関連値の制御量を抑制することを特徴とする請求項３又は４に記載の車両の制御装置。
【発明の詳細な説明】
【技術分野】
【０００１】
本発明は、車両旋回中におけるタックインの発生に際してタックイン抑制制御を実行する車両の制御装置に関するものである。
【背景技術】
【０００２】
例えば旋回走行中の車両において比較的速い操作速度でアクセルオフされたときに生じるエンジンブレーキ力などにより、オーバーステア特性が助長され、旋回軌跡が内側に入り込むタックインと呼ばれる現象が良く知られている。このような現象に対して、タックインの発生を抑制するように駆動輪へ伝達されるトルクを制御するタックイン抑制制御が種々提案されている。例えば、特許文献１には、アクセル開度、アクセル変化速度、横加速度などに基づいてタックインの発生を予測し、車速と横加速度とに応じてタックイン対策トルクを付与することで、タックインのモーメントを打ち消す方向にヨーモーメントを発生させて、タックイン発生の防止を図ることが提案されている。
【先行技術文献】
【特許文献】
【０００３】
【特許文献１】特開平６−２１１０６３号公報
【特許文献２】特開２００２−２００９２７号公報
【特許文献３】特開平８−２２７４号公報
【発明の概要】
【発明が解決しようとする課題】
【０００４】
ところで、上記タックイン抑制制御においては、例えばアクセル開度や車両加速度などの物理量からタックイン状態に陥るか否かを判定し、その判定結果によりタックインを抑制する為の抑制トルクを制御している。見方を換えれば、ドライバの意図を考慮することなく上記判定結果のみによりタックインの抑制トルクを制御している。その為、例えばドライバが意図してタックインさせたいときでも、ドライバの意図とは無関係にタックインの発生を抑制してしまう可能性がある。より具体的には、ドライバが狙いの車両旋回軌道（トレースライン）に乗せる為に積極的にタックインさせるようなときにも、そのタックインを抑制してしまう可能性がある。尚、このような課題は未公知であり、ドライバのタックインさせる意図をも考慮した形でタックインの抑制トルクを適切に制御することについて、未だ提案されていない。
【０００５】
本発明は、以上の事情を背景として為されたものであり、その目的とするところは、ドライバの意図した車両旋回走行が為されるようにタックインを抑制する為の駆動力関連値を適切に制御することができる制御装置を提供することにある。
【課題を解決するための手段】
【０００６】
前記目的を達成する為の本発明の要旨とするところは、(a) 車両旋回中におけるタックインの発生に際してそのタックインを抑制するように駆動輪へ伝達される駆動力関連値を制御するタックイン抑制制御を実行する車両の制御装置であって、(b) 操舵角に基づいてドライバのタックインさせる意図を推定し、(c) 前記タックインさせる意図が大きい程、そのタックインが発生し易いように前記タックイン抑制制御における駆動力関連値の制御量を抑制することにある。
【発明の効果】
【０００７】
このようにすれば、操舵角に基づいて推定したドライバのタックインさせる意図が大きい程、そのタックインが発生し易いように前記タックイン抑制制御における駆動力関連値の制御量が抑制されるので、例えば車両旋回中におけるタックインの発生に際してドライバのタックインさせる意図をも考慮した形でタックインを抑制する為の駆動力関連値（例えばタックインの抑制トルク）を適切に制御することができる。つまり、ドライバの意図した車両旋回走行が為されるようにタックインを抑制する為の駆動力関連値を適切に制御することができる。
【０００８】
ここで、好適には、アクセルオフ時の操舵角に基づいて前記ドライバのタックインさせる意図を推定することにある。このようにすれば、例えばアクセルオフに伴う車両旋回中におけるタックインの発生に際して、ドライバの意図した車両旋回走行が為されるようにタックインを抑制する為の駆動力関連値を一層適切に制御することができる。
【０００９】
また、好適には、前記操舵角に基づいて算出される前記車両旋回挙動に関する目標値と、その車両旋回挙動に関する実測値との偏差が大きい程、前記ドライバのタックインさせる意図が大きいと推定することにある。このようにすれば、例えば操舵角に基づいてドライバのタックインさせる意図が適切に推定される。
【００１０】
また、好適には、前記車両旋回挙動に関する目標値は、前記操舵角に基づいて算出されるヨーレイトの目標値であり、前記車両旋回挙動に関する実測値は、センサにより検出されるヨーレイトの実際値である。このようにすれば、例えば操舵角に基づいてドライバのタックインさせる意図が一層適切に推定される。
【００１１】
また、好適には、前記偏差と前記ドライバのタックインさせる意図に対応した係数との予め設定された関係から、その偏差に基づいてその係数を算出し、その算出した係数に基づいて前記タックイン抑制制御における駆動力関連値の制御量を抑制することにある。このようにすれば、例えばドライバのタックインさせる意図に応じてタックインを抑制する為の駆動力関連値を適切に制御することができる。
【００１２】
また、好適には、前記車両は、駆動力源から前記駆動輪までの動力伝達経路に変速機を備えている。この駆動力源としては、例えば燃料の燃焼によって動力を発生する内燃機関等のガソリンエンジンやディーゼルエンジン等が好適に用いられるが、電動機等の他の原動機を単独で或いはエンジンと組み合わせて採用することもできる。
【００１３】
また、好適には、前記変速機は、例えば複数組の遊星歯車装置の回転要素が係合装置によって選択的に連結されることにより複数のギヤ段（変速段）が択一的に達成される例えば前進４段、前進５段、前進６段、更にはそれ以上の変速段を有する等の種々の遊星歯車式自動変速機、常時噛み合う複数対の変速ギヤを２軸間に備えてそれら複数対の変速ギヤのいずれかを同期装置によって択一的に動力伝達状態とする同期噛合型平行２軸式変速機、その同期噛合型平行２軸式変速機ではあるが油圧アクチュエータにより駆動される同期装置によって変速段が自動的に切換られることが可能な同期噛合型平行２軸式自動変速機、同期噛合型平行２軸式自動変速機であるが入力軸を２系統備えて各系統の入力軸にクラッチがそれぞれつながり更にそれぞれ偶数段と奇数段へと繋がっている型式の変速機である所謂ＤＣＴ（Dual Clutch Transmission）、動力伝達部材として機能する伝動ベルトが有効径が可変である一対の可変プーリに巻き掛けられ変速比が無段階に連続的に変化させられる所謂ベルト式無段変速機、共通の軸心まわりに回転させられる一対のコーンとその軸心と交差する回転中心回転可能な複数個のローラがそれら一対のコーンの間で挟圧されそのローラの回転中心と軸心との交差角が変化させられることによって変速比が可変とされた所謂トラクション型無段変速機、エンジンからの動力を第１電動機及び出力軸へ分配する例えば遊星歯車装置で構成される差動機構とその差動機構の出力軸に設けられた第２電動機とを備えてその差動機構の差動作用によりエンジンからの動力の主部を駆動輪側へ機械的に伝達しエンジンからの動力の残部を第１電動機から第２電動機への電気パスを用いて電気的に伝達することにより電気的に変速比が変更される所謂電気式無段変速機として機能する自動変速機、或いはエンジン軸や出力軸などに動力伝達可能に電動機が備えられる所謂パラレル式のハイブリッド車両に搭載される自動変速機などにより構成される。
【図面の簡単な説明】
【００１４】
【図１】本発明が適用される駆動力伝達装置を有する前置エンジン前輪駆動を基本とする前後輪駆動車両の構成及び車両に設けられた電気的な制御系統の要部を説明する図である。
【図２】車両に設けられたカップリングの構成例を説明する概略断面図である。
【図３】電子制御装置の制御機能の要部を説明する機能ブロック線図である。
【図４】エンジントルクをスロットル弁開度及びエンジン回転速度に基づいて算出する為の予め設定されたエンジントルクマップの一例を示す図である。
【図５】推定走行勾配加速度が大きい程タックイン抑制基準トルクが大きくなるように予め設定された基準トルクマップの一例を示す図である。
【図６】ドライバのタックインさせる意図を推定するときの概念を説明する為の図である。
【図７】ヨーレイト偏差が大きい程タックイン抑制トルク係数が小さくなるように予め設定された抑制トルク係数マップの一例を示す図である。
【図８】電子制御装置の制御作動の要部すなわちドライバの意図した車両旋回走行が為されるようにタックイン抑制トルクを適切に制御する為の制御作動を説明するフローチャートである。
【図９】図８のフローチャートに示す制御作動を実行した場合の一例を示すタイムチャートである。
【発明を実施するための形態】
【００１５】
以下、本発明の実施例を図面を参照しつつ詳細に説明する。
【実施例】
【００１６】
図１は、本発明が好適に適用される前置エンジン前輪駆動（ＦＦ）を基本とする前後輪駆動車両（以下、車両）１０の構成及び車両１０に設けられた電気的な制御系統の要部を説明する図である。図１において、エンジン１２は、例えばガソリンエンジン或いはディーゼルエンジン等の内燃機関であって、燃料の燃焼により駆動力を発生させる駆動力源である。このエンジン１２により発生させられた駆動力は、変速機１４、前輪用差動歯車装置１６、及び前輪車軸１８などを介して主駆動輪である１対の前輪２０へ伝達される。また、変速機１４から前後輪動力分配装置であるトランスファ２２を介して分配された駆動力は、駆動力伝達軸であるプロペラシャフト２４、そのプロペラシャフト２４に直列に配設された摩擦係合装置としての電磁式の駆動力配分カップリング（以下、カップリング）２６、後輪用差動歯車装置２８、及び後輪車軸３０などを介して副駆動輪である１対の後輪３２へ伝達される。すなわち、図１に示す車両１０は、駆動力源であるエンジン１２により発生させられたトルクを車両１０の走行状況に応じて前後輪に配分する電子制御トルクスプリット式四輪駆動車両の一例であり、カップリング２６によって低燃費でトラクション性能に優れた駆動系（駆動力伝達装置）を提供できる。尚、エンジン１２により発生させられた駆動力やエンジン１２により発生させられて前後輪に配分されるトルクは、駆動輪となる前輪２０及び後輪３２へ伝達される駆動力関連値である。この駆動力関連値とは、例えば駆動輪の接地面上に働く車両駆動力（以下、駆動力と表す）Ｆ［Ｎ］に１対１に対応する関連値（相当値）であって、駆動力関連値としてその駆動力Ｆはもちろんのことその他に、例えば車両の出力（以下、出力或いはパワーと表す）Ｐ［ＰＳ、ｋＷ、ＨＰ］、変速機の出力トルクとしての出力軸上のトルク（以下、出力軸トルクと表す）ＴＯＵＴ［Ｎｍ］、車軸上のトルク（以下、駆動トルクと表す）などが用いられる。ここで、上記駆動力などの力は、ある軸心からある半径にて軸回りに作用する力であり、ある軸心から１ｍの半径に加えたときの回転力であるトルクとは、略同じ意味で用いることができる。以下、本実施例では、力とトルクとを特に区別しない場合には、トルクを用いることとする。
【００１７】
変速機１４は、入力された回転を所定の変速比γで減速或いは増速して出力するものであって、例えば複数組の遊星歯車装置の回転部材が油圧式摩擦係合装置によって選択的に連結されることによりニュートラルを含む前後進用の複数のギヤ段（変速段）が択一的に達成され、それぞれのギヤ段に対応する変速比γに応じた速度変換が成される遊星歯車式自動変速機である。この油圧式摩擦係合装置としては、例えば油圧アクチュエータによって係合させられる多板式、単板式のクラッチやブレーキ、或いはベルト式のブレーキ等の油圧式摩擦係合装置が広く用いられる。
【００１８】
図２は、カップリング２６の構成例を説明する概略断面図である。図２において、カップリング２６は、プロペラシャフト２４と同軸に且つ一体的に形成された第１ハウジング３４と、電磁ソレノイド３６を含み第１ハウジング３４の内周側に固設された第２ハウジング３８と、第１ハウジング３４と同軸にその軸心まわりに相対回転可能に配設された出力シャフト４０と、出力シャフト４０と同軸にその軸心まわりに相対回転可能に配設された制御カム４２と、第１ハウジング３４と制御カム４２との相対回転を阻止したりスリップさせたりする為の制御クラッチ４４と、第２ハウジング３８との間にその制御クラッチ４４を構成するクラッチプレートを挟圧する為に出力シャフト４０と同軸にその軸心方向に相対移動可能に配設された環状鉄片であるアーマチュア４６と、第１ハウジング３４と出力シャフト４０との相対回転を阻止したりスリップさせたりする為のメインクラッチ４８と、第１ハウジング３４との間にメインクラッチ４８を構成するクラッチプレートを挟圧する為に出力シャフト４０と同軸にその軸心まわりの相対回転不能且つ軸心方向の相対移動可能に配設されたメインカム５０とを備えている。また、制御カム４２とメインカム５０との相対向する側にはそれぞれのカム面に対応する複数の凹部が形成されており、制御カム４２とメインカム５０との間にはそれら各凹部に嵌め入れられるように複数のボール５２が配設されている。
【００１９】
カップリング２６において、電磁ソレノイド３６が非励磁状態である場合には、制御クラッチ４４及びメインクラッチ４８の何れも非係合状態とされる為、変速機１４などを介してプロペラシャフト２４へ伝達されたトルクは出力シャフト４０へは伝達されない。一方、電磁ソレノイド３６が励磁状態である場合には、その電磁ソレノイド３６の周囲に磁束が生じることにより、アーマチュア４６が第２ハウジング３８側へ引き付けられて制御クラッチ４４が電磁ソレノイド３６への制御電流に応じて係合或いはスリップさせられる。その制御クラッチ４４が係合させられた後、制御カム４２とメインカム５０との間に回転速度差が生じると、ボール５２が制御カム４２における凹部の斜面に押されてメインカム５０側へ押し付けられ、延いてはそのメインカム５０がプロペラシャフト２４側へ押し付けられてメインクラッチ４８が係合させられ、プロペラシャフト２４へ伝達されたトルクが出力シャフト４０へ伝達される。
【００２０】
カップリング２６の係合トルクすなわちメインクラッチ４８の係合トルクは、そのカップリング２６により伝達される伝達トルクを一義的に定めるものであり、後述する電子制御装置７０により制御されて電磁ソレノイド３６へ供給される電流により決定される。すなわち、電磁ソレノイド３６に供給される電流が比較的小さい場合には、アーマチュア４６が第２ハウジング３８側へ引き付けられる力が比較的弱く、制御クラッチ４４の係合トルクが比較的小さいことから、制御カム４２とメインカム５０との間の回転速度差が小さくなり、延いてはメインカム５０がプロペラシャフト２４側へ押し付けられる力が比較的弱くなってカップリング２６の係合トルクは比較的小さくなる。一方、電磁ソレノイド３６に供給される電流が比較的大きい場合には、アーマチュア４６が第２ハウジング３８側へ引き付けられる力が比較的強く、制御クラッチ４４の係合力が比較的大きいことから、制御カム４２とメインカム５０との間の回転速度差が大きくなり、延いてはメインカム５０がプロペラシャフト２４側へ押し付けられる力が比較的強くなってカップリング２６の係合トルクは比較的大きくなり、電磁ソレノイド３６に供給される電流が所定値以上になると直結四輪駆動車両に近い状態で前後輪に駆動トルクが伝達される。以上の構成により、変速機１４から出力された全駆動トルクに対する後輪３２に伝達される駆動トルクの配分比率が例えば零乃至０．５の範囲内で無段階に制御される。
【００２１】
図１に戻り、車両１０には、カップリング２６の係合トルクを制御する為の制御装置例えば車両旋回中におけるタックインの発生に際してそのタックインを抑制するように後輪３２へ伝達される駆動トルクを制御するタックイン抑制制御を実行する制御装置を含む電子制御装置７０が備えられている。この電子制御装置７０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。例えば、電子制御装置７０は、エンジン１２の出力制御、変速機１４の変速制御、電磁ソレノイド３６に供給される電流を制御することによるカップリング２６の係合制御等を実行するようになっており、必要に応じてエンジン制御用のエンジン制御装置、変速機１４の変速制御用の油圧制御装置、カップリング２６の係合制御用の前後輪駆動トルク配分装置（例えば4WD_ECU）等に分けて構成される。
【００２２】
電子制御装置７０には、例えばエンジン回転速度センサ５４により検出されたエンジン１２の回転速度であるエンジン回転速度ＮＥを表す信号、車輪速センサ５６により検出された車輪の回転速度である車輪速ＮＷを表す信号、アクセル開度センサ５８により検出された運転者による車両１０に対する要求量（ドライバ要求量）としてのアクセルペダルの操作量であるアクセル開度Ａccを表す信号、スロットルセンサ６０により検出された電子スロットル弁の開度であるスロットル弁開度θＴＨを表す信号、ステアリングセンサ６２により検出されたステアリングの操舵角θＳＷ及び操舵方向を表す信号、前後Ｇセンサ６４により検出された車両１０の前後加速度Ｇを表す信号、左右Ｇセンサ６６により検出された車両１０の左右加速度Ｇを表す信号、ヨーレイトセンサ６８により検出された車両１０の回転角速度であるヨーレイトＲＹを表す信号などがそれぞれ供給される。尚、車輪速センサ５６は、例えば少なくとも左右一対の前輪２０の何れか一方及び少なくとも左右一対の後輪３２の何れか一方に備えられておれば良いが、左右の前輪２０及び左右の後輪３２の全ての車輪に備えられていても良い。この場合には４つの車輪速ＮＷ（左前車輪速ＮＷＦＬ、右前車輪速ＮＷＦＲ、左後車輪速ＮＷＲＬ、右後車輪速ＮＷＲＲ）が電子制御装置７０に供給されるので、例えば車両１０としての車速Ｖは４つの車輪速ＮＷの平均車輪速としたり、前輪２０の車輪速ＮＷＦは１対の前輪２０の平均車輪速としたり、前後輪駆動トルク配分の制御の為の後輪３２の車輪速ＮＷＲは１対の後輪３２の平均車輪速としたり、走行状況判定の為の車輪速は４つの車輪速ＮＷのうちのいずれか１つの車輪速ＮＷとしたり、ブレーキによる車輪ロックを検出の為の車輪速は最低車輪速としたりする。また、車輪速センサ５６を変速機１４の出力軸或いはプロペラシャフト２４に設けることで前輪２０の平均車輪速を検出しても良いし、車輪速センサ５６を出力シャフト４０に設けることで後輪３２の平均車輪速を検出しても良い。
【００２３】
また、電子制御装置７０からは、例えばエンジン１２の出力制御の為のエンジン出力制御指令信号ＳＥとして、アクセル開度Ａccに応じて電子スロットル弁の開閉を制御する為のスロットルアクチュエータへの駆動信号や燃料噴射装置から噴射される燃料噴射量を制御する為の噴射信号やイグナイタによるエンジン１２の点火時期を制御する為の点火時期信号などが出力される。また、例えば変速機１４の変速制御の為の油圧制御指令信号ＳＰとして、変速機１４のギヤ段ＧＳを切り換える為に油圧制御回路内のリニアソレノイドバルブの励磁、非励磁などを制御する為のバルブ指令信号（油圧指令信号、油圧指令値、駆動信号）やライン油圧などを調圧制御する為のリニアソレノイドバルブへの油圧指令信号などが出力される。また、例えばカップリング２６の係合トルクを制御する為の係合制御指令信号ＳＣすなわち後輪３２側へ伝達する（配分する）トルクを制御する為の４ＷＤトルク制御指令信号ＳＣとして、電磁ソレノイド３６に供給される電流を制御する為の駆動信号などが出力される。
【００２４】
図３は、電子制御装置７０によるカップリング２６の係合トルク制御機能例えばタックインを抑制するように後輪３２へ伝達される駆動トルクを制御するタックイン抑制制御機能の要部を説明する機能ブロック線図である。この図３の破線で示す矢印はエンジン１２から出力されるエンジントルクＴＥが前輪２０或いは後輪３２へ伝達されるまでの主な流れを示している。
【００２５】
図３において、駆動トルク算出部すなわち駆動トルク算出手段７２は、例えばエンジン１２により発生させられるエンジントルクＴＥに基づいてプロペラシャフト２４により伝達されてカップリング２６に入力される駆動トルクＴＩＮを算出する。具体的には、駆動トルク算出手段７２は、エンジン１２に対する要求負荷としてスロットル弁開度θＴＨをパラメータとしてエンジン回転速度ＮＥとエンジントルク推定値ＴＥ０との予め求められて記憶された例えば図４に示すような関係（エンジントルクマップ）から、実際のエンジン回転速度ＮＥ及びスロットル弁開度θＴＨに基づいてエンジントルクＴＥを推定値として算出する。そして、駆動トルク算出手段７２は、次式（１）からエンジントルクＴＥの推定値、変速機１４の現在のギヤ段に対応する変速比γ、及びトランスファ２２などのギヤ比ｉに基づいて駆動トルクＴＩＮを算出する。尚、エンジン１２に対する要求負荷として、スロットル弁開度θＴＨに替えて、例えばアクセル開度Ａcc、吸入空気量、燃料噴射量などが用いられても良い。また、例えばトルクセンサによって駆動トルクＴＩＮが直接的に検出されても良いし、トルクセンサによって直接的に検出されるエンジントルクＴＥに基づいて駆動トルクＴＩＮを算出しても良い。
ＴＩＮ＝ＴＥ×γ×ｉ  ・・・（１）
【００２６】
ヨーレイト偏差算出部すなわちヨーレイト偏差算出手段７４は、例えば操舵角θＳＷに基づいて算出される車両旋回挙動に関する目標値と車両旋回挙動に関する実測値との偏差を算出する。具体的には、ヨーレイト偏差算出手段７４は、先ず、次式（２）に従って、予め実験的に求められて設定された関数ｆtyから車速Ｖ及び操舵角θＳＷに基づいて車両旋回挙動に関する目標値としてのヨーレイトＲＹの目標値（以下、目標ヨーレイト）ＲＹtを算出する。そして、ヨーレイト偏差算出手段７４は、次式（３）から上記算出した目標ヨーレイトＲＹt及び車両旋回挙動に関する実測値としてのヨーレイトセンサ６８により検出されたヨーレイトＲＹの実際値（以下、実ヨーレイト）ＲＹaに基づいて上記偏差としてのヨーレイト偏差ΔＲＹを算出する。尚、目標ヨーレイトＲＹtの算出においては、左右加速度Ｇなどをパラメータに加えても良い。
ＲＹt＝ｆty（Ｖ，θＳＷ）  ・・・（２）
ΔＲＹ＝ＲＹt−ＲＹa  ・・・（３）
【００２７】
アクセルオン時後輪トルク算出部すなわちアクセルオン時後輪トルク算出手段７６は、例えば車両旋回走行中におけるアクセルオン時に後輪３２に分配する後輪トルク（４ＷＤトルク）ＴＲとしてのヨーレイトフィードバックトルク（リヤトルク配分量）ＴＹonを前記ヨーレイト偏差ΔＲＹに応じて算出する。ここで、本実施例におけるアクセルオン時の車両旋回制御では、目標ヨーレイトＲＹtに追従するフィードバック制御を実行するものであり、フィードフォワード項（ＦＦ項）とフィードバック項（ＦＢ項）とから成るそれぞれのトルクを加算して制御トルクとしてのヨーレイトフィードバックトルクＴＹonを算出する。具体的には、アクセルオン時後輪トルク算出手段７６は、所定の関係式からヨーレイト偏差ΔＲＹに基づいて上記ＦＢ項の制御ゲインであるＰＩＤ制御ゲインを算出し、そのＰＩＤ制御ゲインと駆動トルク算出手段７２により算出された駆動トルクＴＩＮとに基づいて上記ＦＢ項のフィードバックトルクを算出する。また、アクセルオン時後輪トルク算出手段７６は、ＦＦ項の所定の制御ゲインである一定値のＦＦ制御ゲインと上記駆動トルクＴＩＮとに基づいて上記ＦＦ項のフィードフォワードトルクを算出する。そして、アクセルオン時後輪トルク算出手段７６は、上記算出したフィードバックトルクとフィードフォワードトルクとを加算してヨーレイトフィードバックトルクＴＹonを算出する。
【００２８】
タックイン抑制基準トルク算出部すなわちタックイン抑制基準トルク算出手段７８は、例えば車両旋回走行中におけるアクセルオフ時に後輪３２に分配する後輪トルク（４ＷＤトルク）ＴＲとしてのタックインを抑制する為のタックイン抑制トルク（リヤトルク配分量）ＴＹoffの基準となるトルク（以下、タックイン抑制基準トルク）ＴＹbを算出する。ここで、例えばフロント荷重増となる下り前進走行時にはタックイン現象が発生し易いと考えられる。そこで、本実施例では勾配の強さに応じたすなわち下り勾配を考慮したタックイン抑制基準トルクＴＹbを算出する。具体的には、タックイン抑制基準トルク算出手段７８は、先ず、エンジントルクＴＥ（スロットル弁開度θＴＨ及びエンジン回転速度ＮＥと同意）と車速Ｖとをパラメータとして平坦路走行時において発生させられるべき推定加速度ｇ’を求める為の予め求められて記憶された関係（基準加速度マップ）から駆動トルク算出手段７２により算出されたエンジントルクＴＥの推定値と車速Ｖとに基づいて推定加速度ｇ’を算出する。次いで、タックイン抑制基準トルク算出手段７８は、次式（４）から上記算出した推定加速度ｇ’及び前後Ｇセンサ６４により検出された車両１０の前後加速度Ｇの値（以下、前後Ｇ値）ｇに基づいて走行勾配における加速度の推定値（以下、推定走行勾配加速度）ｇdnを算出する。この推定走行勾配加速度ｇdnは、値が大きい程すなわち前後Ｇ値ｇと推定加速度ｇ’との差が大きい程、勾配が強いことを示している。そして、タックイン抑制基準トルク算出手段７８は、次式（５）に従って、推定走行勾配加速度ｇdnが大きい程タックイン抑制基準トルクＴＹbが大きくなるように予め実験的に求められて設定された図５に示すような関係（基準トルクマップ）maptybから上記算出した推定走行勾配加速度ｇdnに基づいてタックイン抑制基準トルクＴＹbを算出する。
ｇdn＝ｇ−ｇ’  ・・・（４）
ＴＹb＝maptyb（ｇdn）  ・・・（５）
【００２９】
タックイン抑制トルク係数算出部すなわちタックイン抑制トルク係数算出手段８０は、例えばステアリングの操舵角θＳＷに基づいてドライバのタックインさせる意図を推定するタックイン意図推定手段として機能する。ここで、図６に示すように、車両旋回走行中における旋回軌道が実トレースラインＡ（線分の短い破線）となる場合（すなわち実ヨーレイトＲＹaＡの場合）には、ドライバの意図（車両旋回走行中における旋回軌道の目標軌道である目標トレースライン（実線）すなわち車両旋回走行中におけるドライバの意図を表す目標ヨーレイトＲＹt）よりも車両１０が曲がらないことから、ドライバは「アクセルオフして意図的に（積極的に）タックインさせ、狙ったトレースライン（目標トレースライン）にのせたい」という意図が大きくなる、つまりドライバのタックインさせる意図が大きいと考えられる。一方で、車両旋回走行中における旋回軌道が実トレースラインＢ（線分の長い破線）となる場合（すなわち実ヨーレイトＲＹaＢの場合）には、ドライバの意図近くに車両１０が曲がっていることから、ドライバは「アクセルオフの状態でもタックインを発生させずに、現状の状態を維持したい」という意図が大きくなる、つまりドライバのタックインさせる意図が小さいと考えられる。そこで、タックイン抑制トルク係数算出手段８０は、例えば実トレースラインＡのようにヨーレイト偏差ΔＲＹが比較的大きくなるときにはドライバのタックインさせる意図が大きいと推定し、実トレースラインＢのようにヨーレイト偏差ΔＲＹが比較的小さくなるときにはドライバのタックインさせる意図が小さいと推定する。つまり、タックイン抑制トルク係数算出手段８０は、ヨーレイト偏差ΔＲＹが大きい程、ドライバのタックインさせる意図が大きいと推定する。
【００３０】
そして、例えば図６の実トレースラインＡのようにドライバのタックインさせる意図が大きいと推定した場合には、車両旋回走行中におけるアクセルオフ時に後輪３２に分配する後輪トルク（４ＷＤトルク）ＴＲすなわちタックイン抑制トルクＴＹoffを低くし、タックインを誘発（発生）させ易くすれば良い。一方、例えば図６の実トレースラインＢのようにドライバのタックインさせる意図が小さいと推定した場合には、タックイン抑制トルクＴＹoffを高くし、タックインを抑制させ易くすれば良い。つまり、ドライバのタックインさせる意図が大きい程、そのタックインが発生し易いようにタックイン抑制制御における駆動トルクの制御量であるタックイン抑制トルクＴＹoffを抑制する。具体的には、タックイン抑制トルク係数算出手段８０は、次式（６）に従って、ヨーレイト偏差ΔＲＹが大きい程タックイン抑制トルク係数ktyofが小さくなるように予め実験的に求められて設定された図７に示すような関係（抑制トルク係数マップ）maptyofからヨーレイト偏差算出手段７４により算出されたヨーレイト偏差ΔＲＹに基づいてタックイン抑制トルク係数ktyofを算出する。タックイン抑制トルク係数ktyofは、例えばドライバのタックインさせる意図に対応した係数であり、後述するようにタックイン抑制基準トルクＴＹbに掛けることでタックイン抑制トルクＴＹoffを算出する為の係数である。よって、タックイン抑制トルク係数ktyofは、例えば０乃至１．０の数値とされ、小さい程、タックイン抑制トルクＴＹoffが抑制される。
ktyof＝maptyof（ΔＲＹ）  ・・・（６）
【００３１】
タックイン抑制トルク算出部すなわちタックイン抑制トルク算出手段８２は、例えば車両旋回走行中におけるアクセルオフ時に後輪３２に分配する後輪トルク（４ＷＤトルク）ＴＲとしてのタックイン抑制トルクＴＹoffをタックイン抑制トルク係数ktyofに基づいて算出する。具体的には、タックイン抑制トルク算出手段８２は、次式（７）からタックイン抑制トルク係数算出手段８０により算出されたタックイン抑制トルク係数ktyof及びタックイン抑制基準トルク算出手段７８により算出されたタックイン抑制基準トルクＴＹbに基づいてタックイン抑制トルクＴＹoffを算出する。
ＴＹoff＝ktyof×ＴＹb  ・・・（７）
【００３２】
制御トルク決定部すなわち制御トルク決定手段８４は、例えば車両旋回中に後輪３２に分配する後輪トルク（４ＷＤトルク）ＴＲの最終演算値としての制御トルクＴＹを、アクセルオン時のヨーレイトフィードバックトルクＴＹon及びアクセルオフ時のタックイン抑制トルクＴＹoffのうちで優位な方のトルクから決定する。具体的には、制御トルク決定手段８４は、次式（８）に従って、アクセルオン時後輪トルク算出手段７６により算出されたヨーレイトフィードバックトルクＴＹon及びタックイン抑制トルク算出手段８２により算出されたタックイン抑制トルクＴＹoffのうちで大きな方のトルクを逐次選択し、選択したトルクを制御トルクＴＹとする。これは、例えば、アクセルオフ時には、エンジントルク変化の応答遅れ分を除き、ヨーレイトフィードバックトルクＴＹonがタックイン抑制トルクＴＹoffを下回ることになるので、タックイン抑制トルクＴＹoffが制御トルクＴＹとして選択されるという観点に基づいている。
ＴＹ＝max（ＴＹon，ＴＹoff）  ・・・（８）
【００３３】
フィルタ処理部すなわちフィルタ処理手段８６は、例えば制御トルクＴＹに対してフィルタ処理を実施する。具体的には、フィルタ処理手段８６は、所定のフィルタから制御トルク決定手段８４が決定した制御トルクＴＹに基づいてフィルタ処理後の制御トルクＴＹfを算出する。加えて、前記制御トルクＴＹはヨーレイトフィードバックトルクＴＹon及びタックイン抑制トルクＴＹoffのうちで大きな方のトルクが逐次選択されたトルクであるので、それらトルクの間の繋ぎを滑らかにしたりトルク急変を抑制するという観点から、フィルタ処理手段８６は、例えばフィルタ処理後の制御トルクＴＹfを平滑処理（ガード処理）する。具体的には、フィルタ処理手段８６は、所定の平滑処理から上記フィルタ処理後の制御トルクＴＹfに基づいて平滑処理後の制御トルクtrearを算出する。
【００３４】
カップリング係合トルク制御部すなわちカップリング係合トルク制御手段８８は、例えば電磁ソレノイド３６に供給される電流をフィルタ処理手段８６による平滑処理後の制御トルクtrearに従って制御することによりカップリング２６の係合トルクを制御する。つまり、カップリング係合トルク制御手段８８は、上記制御トルクtrearがカップリング２６を介して後輪３２へ伝達されるようにカップリング２６の係合トルクを制御する。
【００３５】
図８は、電子制御装置７０の制御作動の要部すなわちドライバの意図した車両旋回走行が為されるようにタックイン抑制トルクＴＹoffを適切に制御する為の制御作動を説明するフローチャートであり、例えば数ｍsec乃至数十ｍsec程度の極めて短いサイクルタイムで繰り返し実行される。図９は、図８のフローチャートに示す制御作動を実行した場合のタイムチャートである。
【００３６】
図８において、先ず、アクセルオン時後輪トルク算出手段７６に対応するステップ（以下、ステップを省略する）Ｓ１０において、例えば車両旋回走行中におけるアクセルオン時に後輪３２に分配する後輪トルク（４ＷＤトルク）ＴＲとしてのヨーレイトフィードバックトルク（リヤトルク配分量）ＴＹonがヨーレイト偏差ΔＲＹに応じて算出される。次いで、タックイン抑制基準トルク算出手段７８に対応するＳ２０において、例えば勾配の強さに応じたすなわち下り勾配を考慮したタックイン抑制基準トルクＴＹbが算出される。次いで、タックイン抑制トルク係数算出手段８０に対応するＳ３０において、例えばヨーレイト偏差ΔＲＹに基づいてタックイン抑制トルク係数ktyofが算出される。次いで、タックイン抑制トルク算出手段８２に対応するＳ４０において、例えば上記Ｓ３０にて算出されたタックイン抑制トルク係数ktyof及び上記Ｓ２０にて算出されたタックイン抑制基準トルクＴＹbに基づいて、車両旋回走行中におけるアクセルオフ時に後輪３２に分配する後輪トルク（４ＷＤトルク）ＴＲとしてのタックイン抑制トルク（リヤトルク配分量）ＴＹoff（＝ktyof×ＴＹb）が算出される。次いで、制御トルク決定手段８４に対応するＳ５０において、例えば上記Ｓ１０にて算出されたヨーレイトフィードバックトルクＴＹon及び上記Ｓ４０にて算出されたタックイン抑制トルクＴＹoffのうちで大きな方のトルクが逐次選択され、選択されたトルクが制御トルクＴＹ（＝max（ＴＹon，ＴＹoff））とされる。次いで、フィルタ処理手段８６に対応するＳ６０において、例えば上記Ｓ５０にて決定された制御トルクＴＹに対してフィルタ処理が実施されてフィルタ処理後の制御トルクＴＹfが算出される。加えて、そのフィルタ処理後の制御トルクＴＹfが平滑処理されて平滑処理後の制御トルクtrearが算出される。
【００３７】
図９において、線分の短い破線は旋回軌道が例えば図６に示す実トレースラインＡとなってヨーレイト偏差ΔＲＹが比較的大きくなるときの場合であり、ドライバのタックインさせる意図が大きいと推定されてアクセルオフ時のタックイン抑制トルクＴＹoffが比較的小さくされる。一方、線分の長い破線は旋回軌道が例えば図６に示す実トレースラインＢとなってヨーレイト偏差ΔＲＹが比較的小さくなるときの場合であり、ドライバのタックインさせる意図が小さいと推定されてアクセルオフ時のタックイン抑制トルクＴＹoffが比較的大きくされる。よって、アクセルオフの際に、タックイン抑制トルクＴＹoffが制御トルクＴＹとして選択される期間では、ドライバのタックインさせる意図が適切に反映される。すなわち、ドライバのタックインさせる意図が大きいと推定される場合には、アクセルオフ時にタックインが誘発され易くなり（線分の短い破線）、ドライバのタックインさせる意図が小さいと推定される場合には、アクセルオフ時にタックインが抑制され易くなる（線分の長い破線）。尚、図９の実線は、例えばフィルタ処理前の制御トルクＴＹ、或いは平滑処理前の制御トルクＴＹfを示すものであり、フィルタ処理或いは平滑処理が為された場合には、アクセルオン時のヨーレイトフィードバックトルクＴＹonとアクセルオフ時のタックイン抑制トルクＴＹoffとの繋ぎ部分が滑らかな曲線に成ることは言うまでもない。
【００３８】
上述のように、本実施例によれば、操舵角θＳＷに基づいて推定したドライバのタックインさせる意図が大きい程、そのタックインが発生し易いようにタックイン抑制制御における駆動トルクの制御量（タックイン抑制トルクＴＹoff）が抑制されるので、例えば車両旋回中におけるタックインの発生に際してドライバのタックインさせる意図をも考慮した形でタックインを抑制する為のタックイン抑制トルクＴＹoffを適切に制御することができる。つまり、ドライバの意図した車両旋回走行が為されるようにタックインを抑制する為のタックイン抑制トルクＴＹoffを適切に制御することができる。
【００３９】
また、本実施例によれば、アクセルオフ時の操舵角θＳＷに基づいてドライバのタックインさせる意図を推定するので、例えばアクセルオフに伴う車両旋回中におけるタックインの発生に際して、ドライバの意図した車両旋回走行が為されるようにタックインを抑制する為のタックイン抑制トルクＴＹoffを一層適切に制御することができる。
【００４０】
また、本実施例によれば、操舵角θＳＷに基づいて算出される車両旋回挙動に関する目標値（目標ヨーレイトＲＹt）と、その車両旋回挙動に関する実測値（ヨーレイトセンサ６８により検出された実ヨーレイトＲＹa）との偏差（ヨーレイト偏差ΔＲＹ）が大きい程、ドライバのタックインさせる意図が大きいと推定するので、例えば操舵角θＳＷに基づいてドライバのタックインさせる意図が一層適切に推定される。
【００４１】
また、本実施例によれば、ヨーレイト偏差ΔＲＹと前記ドライバのタックインさせる意図に対応したタックイン抑制トルク係数ktyofとの予め設定された関係（抑制トルク係数マップ）maptyofから、ヨーレイト偏差ΔＲＹに基づいてタックイン抑制トルク係数ktyofを算出し、その算出したタックイン抑制トルク係数ktyofに基づいてタックイン抑制制御におけるタックイン抑制トルクＴＹoffを抑制するので、例えばドライバのタックインさせる意図に応じてタックインを抑制する為のタックイン抑制トルクＴＹoffを適切に制御することができる。
【００４２】
以上、本発明の実施例を図面に基づいて詳細に説明したが、本発明はその他の態様においても適用される。
【００４３】
例えば、前述の実施例では、本発明が適用される車両として前置エンジン前輪駆動（ＦＦ）を基本とする前後輪駆動車両１０を例示したが、このような車両１０に限らず、例えば車両旋回中におけるタックインの発生に際してそのタックインを抑制するように駆動輪へ伝達される駆動力関連値を制御するタックイン抑制制御を実行する車両であれば、操舵角θＳＷに基づいて推定したドライバのタックインさせる意図が大きい程、そのタックインが発生し易いようにタックイン抑制制御における駆動トルクの制御量を抑制するという本発明の技術思想は適用され得る。より具体的には、前述の実施例のカップリング２６は、後輪用差動歯車装置２８側に設けられていたが、前輪用差動歯車装置１６側に設けられていても本発明は適用され得る。つまり、前置エンジン後輪駆動（ＦＲ）を基本とする前後輪駆動車両であっても良い。この場合には、１対の後輪３２が主駆動輪となり１対の前輪２０が副駆動輪となる。
【００４４】
例えば、前述の実施例では、摩擦係合装置として電磁式の駆動力配分カップリング２６に本発明が適用されていたが、本発明はこれに限定されるものではなく、例えば、油圧式カップリングに本発明が適用されてもよい。この場合、カップリング係合トルク制御手段８８は、例えば、その油圧式カップリングに作動油圧を供給する油圧制御回路に設けられたリニアソレノイド弁に供給される電流を制御することによりその油圧式カップリングの伝達トルクを制御する。また、伝達トルクを決定する磁粉の結合力が電磁力によって制御される磁粉式カップリングが適用されてもよい。
【００４５】
また、前述の実施例では、駆動トルクＴＩＮがエンジントルクＴＥから一義的に定められていたが、変速比γ分等が既知であるので駆動トルクＴＩＮに替えてエンジントルクＴＥのみがその代替値として用いられてもよい。
【００４６】
尚、上述したのはあくまでも一実施形態であり、本発明は当業者の知識に基づいて種々の変更、改良を加えた態様で実施することができる。
【符号の説明】
【００４７】
１０：前後輪駆動車両（車両）
２０：前輪（駆動輪）
３２：後輪（駆動輪）
７０：電子制御装置（制御装置）
【図１】
2011230712.tif 000003
【図２】
2011230712.tif 000004
【図３】
2011230712.tif 000005
【図４】
2011230712.tif 000006
【図５】
2011230712.tif 000007
【図６】
2011230712.tif 000008
【図７】
2011230712.tif 000009
【図８】
2011230712.tif 000010
【図９】
2011230712.tif 000011